【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
撮影レンズを着脱可能な撮像装置であって、
前記撮影レンズを通過した光を受けて、第１の画像信号を生成する第１の撮像センサと、
前記撮影レンズを通過した光を受けて、第２の画像信号を生成する第２の撮像センサと、
前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、
前記切り替え部により前記第１のモードと前記第２のモードとの間で切り替えが行われる際に、前記第１の画像信号と前記第２の画像信号とのうち直近に生成された画像信号を選択的に用いて被写体の属性を検出する検出部と、
前記検出部により検出された被写体の属性に応じて、焦点位置、測光位置、撮影タイミング、及び露出値の少なくとも１つを含む撮影条件を決定し、決定した撮影条件になるように制御動作を行う制御部と、
を備えたことを特徴とする撮像装置。
【請求項２】
前記第１の撮像センサは、被写体の画像を取得するために用いられ、
前記第２の撮像センサは、被写体の輝度を測定するために用いられる
ことを特徴とする請求項１に記載の撮像装置。
【請求項３】
前記検出部は、連続した複数の撮影処理が開始される前に、前記第２の画像信号を用いて被写体の属性を検出し、連続した複数の前記撮影処理が開始された後に、前記第１の画像信号と前記第２の画像信号とのうち直近に生成された画像信号を選択的に用いて被写体の属性を検出する
ことを特徴とする請求項１又は２に記載の撮像装置。
【請求項４】
前記被写体の属性は、被写体の顔の位置、被写体の顔の表情、被写体の画像内での位置、及び被写体の色の少なくとも１つを含む
ことを特徴とする請求項１から３のいずれか１項に記載の撮像装置。
【請求項５】
撮影レンズを着脱可能な撮像装置であって、
前記撮影レンズを通過した光を受けて、第１の画像信号を生成する第１の撮像センサと、
前記撮影レンズを通過した光を受けて、第２の画像信号を生成する第２の撮像センサと、
前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、
前記切り替え部により前記第１のモードから前記第２のモードへの切り替えが行われた際に、切り替え前に生成された前記第１の画像信号を用いて被写体の属性を検出する検出部と、
前記検出部により検出された被写体の属性に応じて、焦点位置、測光位置、撮影タイミング、及び露出値の少なくとも１つを含む撮影条件を決定し、決定した撮影条件になるように制御動作を行う制御部と、
を備えたことを特徴とする撮像装置。
【請求項６】
前記被写体の属性は、被写体の顔の位置、被写体の顔の表情、被写体の画像内での位置、及び被写体の色の少なくとも１つを含む
ことを特徴とする請求項５に記載の撮像装置。
【請求項７】
撮影レンズを着脱可能な撮像装置における撮像方法であって、前記撮像装置は、
前記撮影レンズを通過した光を受けて、第１の画像信号を生成する第１の撮像センサと、
前記撮影レンズを通過した光を受けて、第２の画像信号を生成する第２の撮像センサと、
前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、
を備え、
前記撮像方法は、
前記撮像装置の検出手段が、前記切り替え部により前記第１のモードと前記第２のモードとの間で切り替えが行われる際に、前記第１の画像信号と前記第２の画像信号とのうち直近に生成された画像信号を選択的に用いて被写体の属性を検出する検出工程と、
前記撮像装置の制御手段が、前記検出工程において検出された被写体の属性に応じて、焦点位置、測光位置、撮影タイミング、及び露出値の少なくとも１つを含む撮影条件を決定し、決定した撮影条件になるように制御動作を行う制御工程と、
を備えたことを特徴とする撮像方法。
【請求項８】
撮影レンズを着脱可能な撮像装置における撮像方法であって、前記撮像装置は、
前記撮影レンズを通過した光を受けて、第１の画像信号を生成する第１の撮像センサと、
前記撮影レンズを通過した光を受けて、第２の画像信号を生成する第２の撮像センサと、
前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、
を備え、
前記撮像方法は、
前記撮像装置の検出手段が、前記切り替え部により前記第１のモードから前記第２のモードへの切り替えが行われた際に、切り替え前に生成された前記第１の画像信号を用いて被写体の属性を検出する検出工程と、
前記撮像装置の制御手段が、前記検出工程において検出された被写体の属性に応じて、焦点位置、測光位置、撮影タイミング、及び露出値の少なくとも１つを含む撮影条件を決定し、決定した撮影条件になるように制御動作を行う制御工程と、
を備えたことを特徴とする撮像方法。
【手続補正２】
【補正対象書類名】明細書
【補正対象項目名】発明の名称
【補正方法】変更
【補正の内容】
【発明の名称】撮像装置、及び撮像方法
【手続補正３】
【補正対象書類名】明細書
【補正対象項目名】００１６
【補正方法】変更
【補正の内容】
【００１６】
本発明の第１側面に係る撮像装置は、撮影レンズを着脱可能な撮像装置であって、前記撮影レンズを通過した光を受けて、第１の画像信号を生成する第１の撮像センサと、前記撮影レンズを通過した光を受けて、第２の画像信号を生成する第２の撮像センサと、前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、前記切り替え部により前記第１のモードと前記第２のモードとの間で切り替えが行われる際に、前記第１の画像信号と前記第２の画像信号とのうち直近に生成された画像信号を選択的に用いて被写体の属性を検出する検出部と、前記検出部により検出された被写体の属性に応じて、焦点位置、測光位置、撮影タイミング、及び露出値の少なくとも１つを含む撮影条件を決定し、決定した撮影条件になるように制御動作を行う制御部とを備えたことを特徴とする。
【手続補正４】
【補正対象書類名】明細書
【補正対象項目名】００１７
【補正方法】変更
【補正の内容】
【００１７】
本発明の第２側面に係る撮像装置は、撮影レンズを着脱可能な撮像装置であって、前記撮影レンズを通過した光を受けて、第１の画像信号を生成する第１の撮像センサと、前記撮影レンズを通過した光を受けて、第２の画像信号を生成する第２の撮像センサと、前記撮影レンズ、前記第１の撮像センサ、及び前記第２の撮像センサの間に配され、前記撮影レンズを通過した光を前記第１の撮像センサへ導く第１のモードと、前記撮影レンズを通過した光を前記第２の撮像センサへ導く第２のモードとを切り替える切り替え部と、前記切り替え部により前記第１のモードから前記第２のモードへの切り替えが行われた際に、切り替え前に生成された前記第１の画像信号を用いて被写体の属性を検出する検出部と、前記検出部により検出された被写体の属性に応じて、焦点位置、測光位置、撮影タイミング、及び露出値の少なくとも１つを含む撮影条件を決定し、決定した撮影条件になるように制御動作を行う制御部とを備えたことを特徴とする。